(57)【要約】      （修正有）【課題】機能性（汗の吸湿性と放湿性）、コンパクト性を付与することができる小物入れ兼用ハンカチを提供する。【解決手段】たて方向を短辺の一辺とし、よこ方向を長辺とした長方形のタオル生地の長辺を三等分の辺として、各辺を右回りで、辺Ａ、Ｂ、Ｃ、Ｄ、Ｅ、Ｆ、Ｇ、Ｈ、Ｉ、Ｊとする。このうち、辺Ｃ、Ｄ、Ｅ、Ｊで囲まれる部分の一方面側および／または他方面側がガーゼ組織からなり、辺Ａ、Ｂ、Ｊ、Ｆ、Ｇ、Ｈで囲まれた部分はパイル組織からなり、辺Ｊの線で折りたたんで、辺ＢとＣおよび辺ＦとＥの重ね部をかがり縫いして袋体を形成し、辺Ｉの線で折りたたんで辺ＨとＪを重ねて物品収納ケース付ハンカチとする。【選択図】図１
0003174081.tif 000002
【実用新案登録請求の範囲】
【請求項１】
たて方向を短辺の一辺とし、よこ方向を長辺とした長方形のタオル生地の長辺を三等分の辺として、各辺を右回りで、辺Ａ、Ｂ、Ｃ、Ｄ、Ｅ、Ｆ、Ｇ、Ｈ、Ｉ、Ｊとしたとき、このうち、辺Ｃ、Ｄ、Ｅ、Ｊで囲まれる部分の一方面側および／または他方面側がガーゼ組織からなり、辺Ａ、Ｂ、Ｊ、Ｆ、Ｇ、Ｈで囲まれた部分はパイル組織からなり、辺Ｊの線で折りたたんで、辺ＢとＣおよび辺ＦとＥの重ね部をかがり縫いして袋体を形成し、辺Ｉの線で折りたたんで辺ＨとＪを重ねてなることを特徴とする物品収納ケース付ハンカチ。
【考案の詳細な説明】
【技術分野】
【０００１】
本考案は、ティッシュ・ペーパ、化粧品などの小物物品が収納できると同時に額から流れる汗などを咄嗟に拭くことができる小物入れ兼用ハンカチに関するものである。
【背景技術】
【０００２】
従来、パイルタオル地などから作られた小物入れ兼用ハンカチが知られている。
【先行技術文献】
【特許文献】
【０００３】
【特許文献１】意匠登録第１３１３５８７号公報
【特許文献２】意匠登録第１４０３５１４号公報
【考案の概要】
【考案が解決しようとする課題】
【０００４】
一般に、小物物品の収納ケースは、収納の対象となる各物品を保管するのが主目的であるため、物品を収納すること以外の機能を有することは稀である。特許文献１ならびに特許文献２に見られるように、従来知られている小物入れ兼用ハンカチは、表素材ならびに内側素材が共にパイル地で構成され、デザイン面においては、種々雑多の展開がおこなわれているが、吸水性ならびに放湿性の機能はいま一つ発揮されていない。例えば汗を拭うといった場合において、表面のパイル柄等のゴワゴワした部分で拭うことになって、パイル地は即座の吸水性が劣り、汗を拭き取るといった機能が期待できない。また多少吸水したとしても汗の放散速度は遅い。本考案においては、機能性付与の面において、従来品のボリューム感、デザイン面を考慮した上で、さらに汗の吸水性、放散性や小物入れのコンパクト性等の機能性を追求して、これらの機能を付与することができる小物入れ兼用ハンカチを提供することを課題とした。
【課題を解決するための手段】
【０００５】
本考案は、たて方向を短辺の一辺とし、よこ方向を長辺とした長方形のタオル生地の長辺を三等分の辺として、各辺を右回りで、辺Ａ、Ｂ、Ｃ、Ｄ、Ｅ、Ｆ、Ｇ、Ｈ、Ｉ、Ｊとしたとき、このうち、辺Ｃ、Ｄ、Ｅ、Ｊで囲まれる部分の一方面側および／または他方面側がガーゼ組織からなり、辺Ａ、Ｂ、Ｊ、Ｆ、Ｇ、Ｈで囲まれた部分はパイル組織からなり、辺Ｊの線で折りたたんで、辺ＢとＣおよび辺ＦとＥの重ね部をかがり縫いして袋体を形成し、辺Ｉの線で折りたたんで辺ＨとＪを重ねてなることを特徴とする物品収納ケース付ハンカチを特徴とする。
【考案の効果】
【０００６】
本考案の小物入れ兼用ハンカチは、長方形のハンカチの長さ方向の半分のところで二つ折りにし、該ハンカチの内側半分の部分に袋体を形成している。本考案の小物入れ兼用ハンカチは、前記袋体布帛の一方面側および／または他方面側がガーゼ組織で構成されているところに特徴がある。このように袋体がガーゼ面で形成されているので、小物を格納する以外の機能として咄嗟に流れ出る額からの汗を即座に拭うことが出来る。更に、ガーゼ組織は、肌触りが良く、柔らかいのが特徴であり、小物入れを折りたたんだ場合に、全体として薄手に仕上がり、内部の収納品を安定してコンパクトに保有する事ができる。もちろん表面はデザイン性に富んだ柄、模様および紋織物を形成して提供することができる。
【図面の簡単な説明】
【０００７】
【図１】本考案の実施例１で作製した物品収納ケース付ハンカチの概略見取り図である。
【図２】本考案の実施例１で作製した物品収納ケース付ハンカチの袋体かがり逢い前の長方形タオル生地を示す図である。
【図３】本考案の実施例１で作製した物品収納ケース付ハンカチのＪの線で折りたたんだ状態を示す概略見取り図である
【図４】本考案の実施例１で作製した物品収納ケース付ハンカチの折りたたんだ概略見取り図である。
【考案を実施するための形態】
【０００８】
本考案は、たて方向を短辺の一辺とし、よこ方向を長辺とした長方形のタオル生地の長辺を三等分の辺として、各辺を右回りで、辺Ａ、Ｂ、Ｃ、Ｄ、Ｅ、Ｆ、Ｇ、Ｈ、Ｉ、Ｊとしたとき、このうち、辺Ｃ、Ｄ、Ｅ、Ｊで囲まれる部分の一方面側および／または他方面側がガーゼ組織からなり、辺Ａ、Ｂ、Ｊ、Ｆ、Ｇ、Ｈで囲まれた部分はパイル組織からなり、辺Ｊの線で折りたたんで、辺ＢとＣおよび辺ＦとＥの重ね部をかがり縫いして袋体を形成し、辺Ｉの線で折りたたんで辺ＨとＪを重ねてなることを特徴とする物品収納ケース付ハンカチである。
【０００９】
大きさは、ハンカチの長手方向に二つ折りした状態で一辺の長さが少なくとも５ｃｍ以上、好ましくは１０ｃｍ以上とするのが良い。尚一辺の上限の長さは、好ましくは２０ｃｍ以下とするのが良い。図４に示したハンカチの折りたたんだ状態の形状は正方形であっても、長方形であってもよい。
【００１０】
糸使いとしては、特に限定するものではないが、綿番手で５〜２０番手のものを用いるのが良い。
【００１１】
内側がガーゼで構成されているので、二つ折りにした時、嵩張ることなく、比較的薄手に収まる。
【００１２】
織物の組織としては、特に限定されるものではないが、経二重織のパイル組織が好ましく、片面タオル、両面タオルいずれであっても良い。
【００１３】
素材は、絹、綿、麻、レーヨン、ナイロン、ポリエステル、アセテート、ポリエチレンなどの繊維を用いてもよいが、肌触り、手触り、感触の良さと、汗や水分を拭うといった機能性を与える面で綿が特に好ましい。特に、接触冷感繊維や発熱繊維などを用いれば、更に機能性が加わるので好ましい。
【実施例】
【００１４】
（実施例１）
タオル織機を用い、ガーゼ部とパイル部からなるタオル生地を織成した。図２に示されるとおり、辺Ｃ、Ｄ、Ｅ、Ｊで囲まれる部分の一方面側および他方面側の両面がガーゼ組織を形成し、辺Ａ、Ｂ、Ｊ、Ｆ、Ｇ、Ｈで囲まれた部分はパイル組織を形成した生地になるよう製織生地を裁断した。前記の裁断された生地の辺Ｊの線上で折りたたんで辺Ｄと辺Ｉを重ね、辺ＢとＣおよび辺ＦとＥの重ね部分をかがり縫いして袋体を形成し、辺Ｉの線で折りたたんで辺ＨとＪを重ねて成る物品収納ケース付ハンカチを作製した。
【００１５】
図１は、実施例１で作製した物品収納ケース付ハンカチの概略見取り図を示す。
【００１６】
図２は、実施例１で作製した物品収納ケース付ハンカチの袋体かがり逢い前の長方形タオル生地を示す。
【００１７】
図３は、実施例１で作製した物品収納ケース付ハンカチのＪの線で折りたたんだ状態の概略見取り図を示す。
【００１８】
図４は、実施例１で作製した物品収納ケース付ハンカチの折りたたんだ概略見取り図を示す。
【産業上の利用可能性】
【００１９】
従来に無い機能を備えた小物入れ付きハンカチを提供することができる。小物入れとして全体に薄手に仕上がり、内部の収納品を安定してコンパクトに保有することができ、急な汗などの吹き出しを拭うための機能も有しており、機能性に富む小物入れハンカチが提供できる。殊に、接触冷感繊維や発熱繊維を用いることにより、更に機能性が付加されたハンカチを提供することができる。
【符号の説明】
【００２０】
Ａ：  辺
Ｂ：  辺
Ｃ：  辺
Ｄ：  辺
Ｅ：  辺
Ｆ：  辺
Ｇ：  辺
Ｈ：  辺
Ｉ：  辺
Ｊ：  辺
【図２】
0003174081.tif 000003
【図４】
0003174081.tif 000004
【図１】
0003174081.tif 000005
【図３】
0003174081.tif 000006